【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
口腔衛生装置の電動ポンプを使用せずに流体を送達するように構成される口腔衛生装置とともに使用するためのアタッチメントアセンブリであって：
前記口腔衛生装置の遠位端に結合するように構成される近位端を有する接続部材と；
前記接続部材の遠位端で前記接続部材に結合される実質的に細長い主アタッチメントと；
を備え、前記主アタッチメントは、
前記口腔衛生装置とともに使用するために流体をその中に貯蔵する流体チャンバと、
前記主アタッチメントの遠位端でその第１側面上にある接触パッドと、
前記主アタッチメントの前記第１側面上にあり、前記流体チャンバと流体連通して、前記流体チャンバから流体を受け取り、該流体を前記接触パッドに送達するように動作可能な少なくとも１つの流体出口孔と、
前記接触パッドが配置される前記主アタッチメントの側面と反対にある前記主アタッチメントの第２側面上に配置されて、前記流体チャンバと流体連通する空気入口孔と、
を有し、前記流体チャンバ内の流体は、前記口腔衛生装置の作動中に前記少なくとも１つの流体出口孔を出る、
アタッチメントアセンブリ。
【請求項２】
前記主アタッチメント内の前記流体チャンバの第１側面の少なくとも一部に沿って伸びる少なくとも第１流体チャネルであって、該第１流体チャネルの第１端は、前記流体チャンバとその第１端で流体連通し、前記少なくとも１つの流体出口孔がその第２端にある、少なくとも第１流体チャネルと、
前記第１流体チャネルと第２流体チャネルが前記接触パッドの反対側に配置されるように、前記流体チャンバの前記第１側面と反対の前記流体チャンバの第２側面の少なくとも一部分に沿って伸びる第２流体チャネルであって、該第２流体チャネルの第１端は、前記流体チャンバとその第１端で流体連通し、第２の少なくとも１つの流体出口孔がその第２端にある、第２流体チャネルと、
を更に備える、請求項１に記載のアタッチメントアセンブリ。
【請求項３】
前記第１流体チャネル及び前記第２流体チャネルの各々は、該流体チャネルの長さに沿って当該アタッチメントアセンブリの長手方向軸に対して実質的に一定の角度を有するように構成される、
請求項２に記載のアタッチメントアセンブリ。
【請求項４】
前記第１流体チャネル及び前記第２流体チャネルの各々は、当該アタッチメントアセンブリの長さに沿って当該アタッチメントアセンブリの長手方向軸に対して実質的に可変の角度を有するように構成され、前記第１流体チャネル及び前記第２流体チャネルは、該流体チャネルの第１端に近接する該流体チャネルの第１部分で前記長手方向軸に対して第１角度を有し、該流体チャネルの中間に近接する該流体チャネルの第２部分で前記長手方向軸に対して第２角度を有し、前記流体出口孔に近接する該流体チャネルの第３部分で前記長手方向軸に対して第３角度を有する、
請求項２に記載のアタッチメントアセンブリ。
【請求項５】
少なくとも１つの流体チャネルは、第１流体出口孔から前記接触パッドに投与される流体の量が、重力に対する当該アタッチメントアセンブリの角度とは独立して、実質的に一定であるように構成される、
請求項２に記載のアタッチメントアセンブリ。
【請求項６】
前記流体チャンバ及び少なくとも１つの流体チャネルは、前記流体チャンバ内に貯蔵された流体が、前記口腔衛生装置の作動中に前記流体チャンバ内に貯蔵された流体に及ぼされる遠心力に起因して、第１流体出口孔から押し出されるように構成される、
請求項２に記載のアタッチメントアセンブリ。
【請求項７】
前記少なくとも１つの流体出口孔の位置及び少なくとも１つの空気入口孔の位置は、前記少なくとも１つの流体出口孔及び前記少なくとも１つの空気入口孔の各々が、前記主アタッチメントの長手方向軸に沿って略中間の実質的に同じ位置に配置される、
請求項１に記載のアタッチメントアセンブリ。
【請求項８】
少なくとも１つの流体チャネルは、前記主アタッチメントの第１側面から高さＨで前記少なくとも１つの流体出口孔に向かって伸びるように実質的に管状に形成され、
前記主アタッチメントは、流体を流体チャネルから前記少なくとも１つの流体出口孔に送達するよう前記口腔衛生装置の作動中に第１距離を移動するように構成され、
前記少なくとも１つの流体チャネルの実質的に管状に形成された部分の高さは、流体出口孔から出た流体の再侵入を防止するために、前記主アタッチメントによって移動される前記第１距離の少なくとも２倍である、
請求項２に記載のアタッチメントアセンブリ。
【請求項９】
前記接触パッドは、表面に接触するように構成される複数の細長い構造体を備える、
請求項１に記載のアタッチメントアセンブリ。
【請求項１０】
前記口腔衛生装置が作動中でないときに流体出口孔から出る流体を減少させるように、前記流体出口孔の直径を小さくするために前記少なくとも１つの流体出口孔に挿入される疎水性材料のライナーを更に備える、
請求項１に記載のアタッチメントアセンブリ。
【請求項１１】
前記口腔衛生装置が作動中でないときに空気入口孔から出る流体を減少させるように、前記空気入口孔に挿入される疎水性材料のライナーを更に備える、
請求項１に記載のアタッチメントアセンブリ。
【請求項１２】
口腔衛生装置においてポンプを使用せずにユーザの口に流体を送達するように構成される口腔衛生装置のためのアタッチメントアセンブリであって：
その近位端で前記口腔衛生装置の遠位端に接続するように構成される接続部材と；
その近位端で前記接続部材の遠位端に結合される実質的に細長い主アタッチメントであって、該主アタッチメントは、当該アタッチメントアセンブリの長手方向軸に沿って実質的に細長い流体チャンバを有する、主アタッチメントと；
前記主アタッチメントの遠位端でその第１側面上にある接触パッドと；
前記接触パッドが配置される前記主アタッチメントの側面とは反対の前記主アタッチメントの第２側面に配置されて、前記流体チャンバと流体連通する空気入口孔と；
前記主アタッチメントの前記第１側面上の前記接触パッド上の少なくとも１つの流体出口孔、及び少なくとも１つの第１流体出口孔から前記接触パッドの反対側にある少なくとも第２流体出口孔と；
前記流体チャンバの第１側面に配置され、前記流体チャンバから流体を受け取るように動作可能な前記流体チャンバと流体接続する第１端と、前記第１流体出口孔と接続する第２端とを有する第１流体チャネルと；
前記第１流体チャネルから前記流体チャンバの反対側にある前記流体チャンバの第２側面に配置され、前記流体チャンバから流体を受け取るように動作可能な前記流体チャンバと流体接続する第１端と、前記第２流体出口孔と接続する第２端とを有する第２流体チャネルと；
前記流体チャンバの第１側面に配置され、前記流体チャンバの遠位端と流体接続する第１端と、気泡を前記第１流体チャネルから前記流体チャンバの遠位端へ除去するように動作可能な第１流体出口孔で前記第１流体チャネルと接続する第２端とを有する、少なくとも１つの第１空気チャネルと；
前記流体チャンバの第２側面に配置され、前記流体チャンバの遠位端と流体接続する第１端と、気泡を前記第２流体チャネルから前記流体チャンバの遠位端へ除去するように動作可能な第２流体出口孔で前記第２流体チャネルと接続する第２端とを有する、少なくとも１つの第２空気チャネルと；
を備え、前記口腔衛生装置の作動中、前記流体チャンバ内に貯蔵された流体は、前記少なくとも１つの流体出口孔から排出される、
アタッチメントアセンブリ。
【請求項１３】
前記少なくとも１つの第１空気チャネル及び前記少なくとも１つの第２空気チャネルは流体チャネルとして機能し、
前記第１流体チャネル及び前記第２流体チャネルは、空気チャネルとして機能する、
請求項１２に記載のアタッチメントアセンブリ。
【請求項１４】
前記第１及び第２流体チャネルは、前記第１端において、該流体チャネルが当該アタッチメントアセンブリの長手方向軸から第１距離にあり、前記第２端において、該流体チャネルが前記長手方向軸から第２距離にあるように角度付けされ、前記第１距離は前記第２距離よりも小さい、
請求項１２に記載のアタッチメントアセンブリ。
【請求項１５】
少なくとも１つのチャネルは、前記長手方向軸と第１角度をなすように構成され、前記第１角度は、
前記少なくとも１つのチャネルの双方の長さに沿って実質的に一定であるか、
前記少なくとも１つのチャネルの双方の長さに沿って実質的に変化する、
のいずれか一方である、
請求項１２に記載のアタッチメントアセンブリ。